(57)【特許請求の範囲】
【請求項１】
骨壷載置領域が設けられた石材から形成された基板と、
前記基板に略直角状に立設された石材から形成されたモニュメント用壁部と、
前記基板と前記モニュメント用壁部との間に連設された石材から形成された補強用側板と、
前記モニュメント用壁部の所定位置に配置された石材から形成された黒色系の転写用としての掲示板部とを備える
慰安台。
【請求項２】
前記基板下部に、
前記基板の左右側端及び背面側端に沿って垂設された骨壷収納用壁板と、
前記骨壷収納用壁板の下端に取付けられた前記基板と略同等の大きさとされた底板と、
前記基板と前記底板の開口端に開閉可能に取付けられた扉板部とを有する
請求項１に記載の慰安台。
【発明の詳細な説明】
【技術分野】
【０００１】
本発明は慰安台に関する。詳しくは自宅等において墓所でのお参りと同様の気持ちで死者の霊を弔うことができる慰安台に係るものである。
【背景技術】
【０００２】
従来、日本における仏教では、火葬後の焼骨は骨壷に入れられて墓所に安置されると共に、自宅等に仏壇を置いて死者の霊を祀ることが知られている。
ここで、この種の仏壇として例えば特許文献１に記載されたものが知られている。具体的には、特許文献１に記載された仏壇は、図６に示すように、背板（図示せず。）の上部に突出部１０１が設けられると共に、枠体（図示せず。）の開口部１０２から下方内端に渡り背板の内面に中央と左右の三列に案内部（図示せず。）が縦設されている。
【０００３】
更に、各案内部を横仕切り桟１０３で上下二段に仕切り、それぞれの案内部に各種仏具要素を案内配置し、開口部１０２から枠体の左右内面で案内部の上面位置に掘設された縦溝１０４に欄間板１０５が挿入配設されている。
【０００４】
また、骨壷が安置される墓として例えば特許文献２に記載されたものが知られている。具体的には、特許文献２に記載された墓は、図７に示すように、墓所１１０の奥側に墓石１１１を設置し、この墓石１１１前に拝石１１２を敷設してなる墓において、拝石１１２が墓所１１０の幅方向一方側に片寄せて敷設されている。
【０００５】
更に、拝石１１２の他方側に非敷設域１１３を拡大し、その拡大した非敷設域１１３に花などを植える植栽スペース、あるいは彫刻などの設置スペースなどのやすらぎを得るスペースとして利用できるようにされている。
【先行技術文献】
【特許文献】
【０００６】
【特許文献１】特開２００６−２５５２２２号公報
【０００７】
【特許文献２】特開２０００−１２９９６１号公報
【発明の概要】
【発明が解決しようとする課題】
【０００８】
しかしながら、最近のマンションやアパートなどでは仏壇を置くスペースが作られていない場合が多く、また、洋風の構造のマンションやアパートが多い。そのため、上述した特許文献１に記載された仏壇では、部屋の雰囲気に合わないことが多い。
【０００９】
また、上述した特許文献２に記載された墓に関しては、お墓が遠くにある場合に、お盆やお正月などにお墓参りに行くだけでも交通費等の費用が掛かると共に時間と手間を伴ってしまう。
【００１０】
更に、お墓は屋外であるために周囲の除草や掃除をしなければならず、霊園等では毎年の管理料としての維持費が必要となり、お墓を引き継ぐ子供たちに将来負担を掛けることになる。
【００１１】
本発明は、以上の点に鑑みて創案されたものであって、家の敷地内や家屋内でスペースをとらず、かつ仏壇とお墓の機能を実現可能とした慰安台を提供することを目的とするものである。
【課題を解決するための手段】
【００１２】
上記目的を達成するために、本発明に係る慰安台は、基板と、前記基板に略直角状に立設されたモニュメント用壁部と、前記モニュメント用壁部の所定位置に配置された転写用としての掲示板部とを備える。
【００１３】
ここで、基板に略直角状に立設されたモニュメント用壁部に、例えば、死亡年月日、享年、戒名及び名前等を掘り込むことで、亡くなった者を供養することが可能となる。
【００１４】
また、モニュメント用壁部の所定位置に配置された転写用としての掲示板部に、例えば生前の写真を転写することで、亡くなった者を身近に感じることができ、仏壇とは異なる親しみのあるモニュメントの作成が可能となる。
【００１５】
また、基板上に骨壷載置領域が設けられた場合には、お墓や納骨堂に骨壷を納めることなく身近で亡くなった者のお骨を安置することができ、お墓を兼ね備えた慰安台として活用することが可能となる。
【００１６】
また、基板下部に、基板の左右側端及び背面側端に沿って垂設された骨壷収納用壁板と、骨壷収納用壁板の下端に取付けられた基板と略同等の大きさとされた底板と、基板と底板の開口端に開閉可能に取付けられた扉板部とを有する場合には、基板の下部に骨壷を収納するスペースが形成されることとなる。そして、このスペースに骨壷を収納することで、骨壺を人目につかせずに安置することが可能となる。
【００１７】
更に、基板下部に骨壷を収納することで、基板上のスペースに余裕ができ、花瓶、線香立て、おりん、蜀台、あるいは生前に愛用したものを置くことができる。
【００１８】
なお、モニュメント用壁部に例えば、死亡年月日、享年、戒名及び名前等を掘り込むことで、仏壇とお墓の機能を兼ね備えた慰安台として活用することが可能となる。
【００１９】
また、少なくとも基板、モニュメント用壁部、掲示板部、骨壷収納用壁板、底板あるいは扉板部のいずれか１つが石材により形成された場合には、お墓の感覚に近く、かつ傷が付き難くタオル生地等で容易に埃等を拭き取ることが可能となる。
【００２０】
また、上記目的を達成するために、本発明に係る慰安台は、基板と、前記底板の左右側端及び背面側端に沿って立設された骨壷収納用壁板と、前記骨壷収納用壁板の上端に取付けられた前記底板と略同等の大きさとされた基板と、前記基板と底板の開口端に開閉可能に取付けられた扉板部と、前記基板の背面側に略直角状に立設されたモニュメント用壁部とを備える。
【００２１】
ここで、モニュメント用壁部に例えば、死亡年月日、享年、戒名及び名前等を掘り込むと共に、基板、骨壺収納用壁板、底板及び扉板部で形成される領域（骨壷収納室）に骨壺を安置することで、仏壇とお墓の機能を兼ね備えた慰安台として活用することが可能となる。
【発明の効果】
【００２２】
本発明の慰安台によれば、家の敷地内や家屋内でスペースをとらず、かつ仏壇とお墓の双方の機能を実現することが可能となる。
【図面の簡単な説明】
【００２３】
【図１】本発明を適用した慰安台の一例を説明するための立体模式図である。
【図２】本発明を適用した慰安台のモニュメント用壁部の使用例を説明するための模式図である。
【図３】本発明を適用した慰安台の他の例を説明するための模式図である。
【図４】本発明を適用した慰安台の他の例の使用状態を説明するための模式図である。
【図５】本発明を適用した慰安台の他の例のモニュメント用壁部の他の使用例を説明するための模式図である。
【図６】従来の仏壇の一例を説明するための模式図である。
【図７】従来のお墓の一例を説明するための模式図である。
【発明を実施するための形態】
【００２４】
以下、本発明の実施の形態を図面を参酌しながら説明し、本発明の理解に供する。
【００２５】
＜第１の実施の形態＞
図１は本発明を適用した慰安台の一例を説明するための立体模式図、図２は本発明を適用した慰安台のモニュメント用壁部の使用例を説明するための模式図である。
【００２６】
ここで示す慰安台１は、お墓で使用される御影石等の石材が用いられている。なお、石材は石材用の切削機等によって所定形状の石板に形成し、これらの石板を組み立てる構成とされている。
【００２７】
ここで、例えば、正面及び背面側長さ４５０ｍｍ、左右側長さ３００ｍｍ及び厚さ２０ｍｍである四辺形状の基板２の背面側端に沿って高さ３７０ｍｍ及び厚さ２０ｍｍのモニュメント用壁部３が基板２に対して略直角状に立設されている。
【００２８】
また、基板２の左側端とモニュメント用壁部３の左側端とが、高さ２５０ｍｍの扇形状の補強用側板４で連設されている。
【００２９】
また、基板２の上面には骨壷５を載置することができる大きさの領域を有する骨壷載置板６が積重されている。
【００３０】
骨壷５は、石材で円柱形状に作成されている。ここで、骨壺５を石材で作成することで、慰安台１と一体とした雰囲気を醸し出すことができ、骨壺５の違和感が創出することが無い。
【００３１】
なお、骨壷載置板６上には必ずしも骨壷を載置する必要性は無く、例えばキリスト教で十字架を写真や家紋の代わりにモニュメント用壁部３に貼り付け、その周囲を花等で飾り付けるなど宗教に応じた活用を行うことが望ましい。
【００３２】
また、モニュメント用壁部３の上部の略中央に掲示板部７が配置され、この掲示板部７は黒色系の石材、あるいはタイルで、横、縦長さ１００ｍｍの大きさに形成されている。
なお、掲示板部７を黒色系とすることで、生前の写真を転写した場合に、その画像をくっきりと映し出すことができる。
【００３３】
ここで、掲示板部７はモニュメント用壁部３に貼り付け、あるいはモニュメント用壁部３に掲示板部７を平面状に嵌入できる凹部（図示せず。）を設け、この凹部に掲示板部７の一部を埋め込んだ状態で貼り付けることで、モニュメント用壁部３の所定位置に配置されている。
【００３４】
本発明を適用した慰安台では、図２に示すように、例えば、モニュメント壁部３に家紋Ａとこの家紋Ａの下部に亡くなった者の家名Ｂを石材用サンドブラスト等で掘り込んでいる。
【００３５】
また、モニュメント壁部３の空いた部分には、例えば「南無阿弥陀仏」あるいは「ありがとう」、（図示せず。）などの言葉を掘り込んでいる。更に、掲示板部７には生前の写真を転写している。
【００３６】
また、骨壷５の外表面には亡くなった者の名前や戒名、年齢及び亡くなった日付などを掘り込み、これらの文字が正面側から見えるようにして基板２の骨壷載置板６上に載置している。更に、骨壷載置板６以外の基板２上には線香立て、おりん、あるいは蜀台（図示せず。）等を置いている。
【００３７】
本実施の形態に係る慰安台１は、その大きさが横幅４５０ｍｍ、奥行き３００ｍｍ、高さが３７０ｍｍであるために、マンション等ではベランダや室内のタンスの上などスペースをとらない場所に設置することができる。更に、慰安台１が重い場合には、慰安台１を組立式とすることで、引っ越し等の移動作業も容易に実現することが可能となる。
【００３８】
また、本実施の形態に係る慰安台では、家屋などの家族が居住する身近な場所に設置することができるために、常日頃手を合わせたり、お花を生けたりするなどの供養ができ、亡くなった者を身近に感じることができる。
【００３９】
なお、本実施の形態に係る慰安台では、全てを石板により作成するものであるが、必ずしも石板により作成する必要性はなく、例えば金属板や合成樹脂板、あるいは木製板であっても構わない。しかし、石板を使用することで掃除を行う場合にはタオル生地で埃を容易に拭き取ることができ、かつ、デザインの自由度が高いために洋風の家にも調和することができるために石板を使用することが望ましい。
【００４０】
なお、骨壷載置板上に置かれる骨壷は人目に触れることから、例えば慰安台と同じ素材の石材により形成し、かつデザイン性に優れた骨壷を使用することが望ましい。
【００４１】
また、本実施の形態では仏教における慰安台の活用を詳述するものであるが、仏教に限定する必要性はなく、例えばキリスト教、神道であっても構わない。但し、宗教ごとにモニュメント壁部に記載する文言等や基板上に載せるものが異なるために、これらに応じた基板やモニュメント壁部の形状とすることが望ましい。
【００４２】
また、本実施の形態に係る慰安台では、お墓兼仏壇を可能とすることで、仏壇での常日頃の行事とお墓での行事を同時に行うことが可能となり、墓所への移動を行う必要がなく、また、お墓の管理料や納骨費用などが掛からない。
【００４３】
なお、本実施の形態では人間用としての慰安台を詳述するものであるが、必ずしも人間用の用途に限定するものではなく、例えば犬や猫などのペットを供養するものであっても構わない。
【００４４】
＜第２の実施の形態＞
図３（図３（イ）は本発明を適用した慰安台の他の例を説明するための立体模式図を示し、図３（ロ）は本発明を適用した慰安台の他の例の内部構造を説明するための断面模式図を示す。）は本発明を適用した慰安台の他の例を説明するため模式図、図４は本発明を適用した慰安台の他の例の使用例を説明するための模式図である。
【００４５】
ここで示す慰安台１は、お墓で使用される御影石等の石材が用いられている。なお、石材は石材用の切削機等によって所定形状の石板に形成し、これらの石板を組み立てる構成とされている。
【００４６】
ここで、例えば、正面及び背面側長さ４５０ｍｍ、左右側長さ３００ｍｍ及び厚さ２０ｍｍである底板１０の左右側端及び背面側端に沿って高さ２００ｍｍの骨壷収納用壁板１１、１１Ａ、１１Ｂが立設されている。
【００４７】
更に、骨壷収納用壁板１１、１１Ａ、１１Ｂ上端には底板１０と略同じ大きさとされた天板を兼ねた基板２Ａが設けられている。
【００４８】
また、底板１０の正面側端と基板２Ａの正面側端との間の開口端には、両扉式の２枚の扉板部１２、１２が取り付けられ、それぞれの扉板部１２、１２には取っ手部８が設けられている。
【００４９】
なお、基板２Ａの下部には、底板１０、骨壷収納用壁板１１、１１Ａ、１１Ｂ、及び扉板部１２、１２により骨壷収納室１３が形成されることとなる。更に、取っ手部８によって両扉式の扉板部１２、１２の開閉を行い、骨壷収納室１３内への骨壷５の収納を自在に行うことができる構成とされている。
【００５０】
なお、本実施の形態では両扉式の扉板部による開閉機構を詳述しているが、必ずしも両扉式の開閉機構に限定する必要性は無く、１枚の扉板部による開閉機構であっても構わない。
【００５１】
また、基板２Ａの背面側端に沿って高さ３１５ｍｍ及び厚さ２０ｍｍのモニュメント用壁部３Ａが基板２Ａに対して略直角状に立設されている。
【００５２】
更に、基板２Ａの左右側端とモニュメント用壁部３Ａとが、補強用側板４Ａで連設されている。
【００５３】
また、モニュメント用壁部３Ａの上部の略中央に掲示板部７が配置され、この掲示板部７は黒色系の石材あるいはタイルで、横、縦長さ１００ｍｍの大きさに形成されている。
なお、掲示板部７を黒色系とすることで、生前の写真を転写した場合に、その画像をくっきりと映し出すことができる。
【００５４】
本発明を適用した慰安台では、図４に示すように、例えば、モニュメント用壁部３の中央上部に家紋Ａとこの家紋Ａの下部に亡くなった者の家名Ｂを石材用サンドブラスト等で掘り込んでいる。
【００５５】
また、掲示板部７の下部に亡くなった者の名前や戒名、年齢および亡くなった日付などを掘り込み、掲示板部７に生前の写真を転写している。
【００５６】
また、両扉式の扉板部１２、１２には家紋Ａ等を掘り込み、骨壷収納室１３内に骨壷（図示せず。）を安置している。
【００５７】
更に、図５は本発明を適用した慰安台の他の例のモニュメント用壁部の他の使用例を説明するための模式図である。
【００５８】
ここで、他の使用例では、モニュメント用壁部３の中央上部に家紋Ａとこの家紋Ａの下部に亡くなった者の家名Ｂが石材用サンドブラスト等で掘り込まれている。
【００５９】
また、モニュメント用壁部３Ａの上部両側に横、縦長さ１００ｍｍの大きさの掲示板部７、７がそれぞれ配置されている。これらの掲示板部７、７に亡くなった者の生前の写真を転写している。
【００６０】
更に、モニュメント用壁部３Ａの上部両側に配置された掲示板部７の下部に亡くなった者の名前、戒名、死亡年月日、及び享年等を掘り込んでいる。また、骨壷収納室１３内には２名のそれぞれの骨壷を安置している。
【００６１】
このような構成の本発明の慰安台では、骨壷が外部より見えないために見た目が非常によく、洋風、あるいは和風の屋内のいずれにも調和することが可能となる。
【００６２】
また、図５に示すように、モニュメント用壁部に２名の名前と戒名、あるいは好きな文言を掘り込むことで例えば両親の供養を行うことが可能となる。
なお、骨壷収納室１３を設けることで基板２Ａ上を広く使用することができ、花瓶、線香立て、おりん、あるいは蜀台等を置くことができる。
【００６３】
なお、本実施の形態に係る慰安台では、全てを石板により作成するものであるが、必ずしも石板により作成する必要性はなく、例えば金属板や合成樹脂板、あるいは木製板であっても構わない。しかし、石板を使用することで掃除を行う場合にはタオル生地で埃を容易に拭き取ることができ、かつ、劣化することがなく長期間に渡って活用することが可能となるために石板を使用することが望ましい。
【００６４】
なお、本実施の形態では掲示板部を設けた場合のみを詳述するものであるが、必ずしも掲示板部を設ける必要性は無い。但し、掲示板部を設けて生前の写真を転写することで、より家族との親しみを増すことが可能となる。
【００６５】
また、本実施の形態に係る慰安台では、お墓兼仏壇を可能とすることで、仏壇での常日頃の行事とお墓での行事を同時に行うことが可能となり、墓所への移動を行う必要がなく、また、お墓の管理料や納骨費用などが掛からない。
【００６６】
なお、本実施の形態では人間用としての慰安台を詳述するものであるが、必ずしも人間用の用途に限定するものではなく、例えば犬や猫などのペットを供養するものであっても構わない。
【符号の説明】
【００６７】
１        慰安台
２、２Ａ  基板
３、３Ａ  モニュメント用壁部
４、４Ａ  補強用側板
５        骨壷
６        骨壷載置板
７        掲示板部
８        取っ手部
１０      底板
１１、１１Ａ、１１Ｂ  骨壷収納用壁板
１２      扉板部
１３      骨壷収納室
【図１】
0005782255.tif 000002
【図２】
0005782255.tif 000003
【図３】
0005782255.tif 000004
【図４】
0005782255.tif 000005
【図５】
0005782255.tif 000006
【図６】
0005782255.tif 000007
【図７】
0005782255.tif 000008